(57)【要約】      （修正有）【課題】体型の補正やヒップアップ効果を図りながら、弛んだ骨盤底筋を引き上げ、膀胱や尿道を正規の位置に保持して尿漏れの抑制を図ることができるガードルを提供する。【解決手段】腹部及び股関節部を覆う前身頃１２と、腰部を覆う後身頃と、前身頃の中央と後身頃の中央とを繋ぐサポート布１４とを備え、前身頃は、身生地１２ａの中央部にファスナー１５を備える。サポート布１４は、パワーネットで形成された本体部１４ａの両側部と中央部とに、長さ方向に伸縮性を有するストレッチテープ１６を取り付け、一端側両側部を前身頃の身生地に縫着し、腹部と、股部と、臀部の中央部とを一体に覆い、他端部を後身頃の中央部に縫着する。【選択図】図１
0003226504.tif 000002
【実用新案登録請求の範囲】
【請求項１】
腹部及び股関節部を覆う前身頃と、腰部を覆う後身頃と、前記前身頃の中央と前記後身頃の中央とを繋ぐサポート布とを備え、前記前身頃は、身生地の中央部にファスナーを備え、前記サポート布は、パワーネットで形成された本体部の両側部と中央部とに、長さ方向に伸縮性を有するストレッチテープを取り付け、一端両側部を前記前身頃の身生地に、他端部を前記後身頃の中央部の身生地にそれぞれ縫着し、腹部と、股部と、臀部の中央部とを一体に覆うことを特徴とするガードル。
【請求項２】
前記前身頃と前記後身頃と前記サポート布とに亘って、大腿部を覆う一対の脚部布を縫着したことを特徴とする請求項1記載のガードル。
【考案の詳細な説明】
【技術分野】
【０００１】
骨盤底筋をサポートして、骨盤底筋の緩みに起因する失禁を防止するガードルを提供することを目的としている。
【背景技術】
【０００２】
従来、ガードルは、ショーツの上に重ね履きしたり一枚履きすることにより、腹部や臀部を適度に締め付けて、腹部の引き締めや、ヒップアップ等の体型の補正をもたらすものであった（例えば、特許文献１，２参照。）
【先行技術文献】
【特許文献】
【０００３】
【特許文献１】特開２０１２−２１２３６号公報
【特許文献２】実用新案登録第３２０１３５９号公報
【考案の概要】
【考案が解決しようとする課題】
【０００４】
近年、４０代の女性の３割以上、３０代の女性の２割強の人達に尿漏れの症状があることが明らかになってきた。尿漏れの原因としては、妊娠や出産及び、更年期のホルモンの低下や肥満等が原因で、膀胱や尿道を下方から支える骨盤底筋が弱くなって弛み、膀胱や尿道の位置が下がってしまうことが要因と考えられる。
【０００５】
上述の特許文献１及び２に示されるガードルは、腹部や臀部を適度に締め付けて、体型の補正効果を図ることはできるものの、骨盤底筋を引き締めて尿漏れの抑制を図ることはできなかった。
【０００６】
そこで本考案は、体型の補正効果を図りながら、弛んだ骨盤底筋を引き上げ、膀胱や尿道を正規の位置に保持して尿漏れの抑制を図ることができるガードルを提供することを目的としている。
【課題を解決するための手段】
【０００７】
上記の目的を達成するため本考案は、腹部及び股関節部を覆う前身頃と、腰部を覆う後身頃と、前記前身頃の中央と前記後身頃の中央とを繋ぐサポート布とを備え、前記前身頃は、身生地の中央部にファスナーを備え、前記サポート布は、パワーネットで形成された本体部の両側部と中央部とに、長さ方向に伸縮性を有するストレッチテープを取り付け、一端両側部を前記前身頃の身生地に、他端部を前記後身頃の中央部の身生地にそれぞれ縫着し、腹部と、股部と、臀部の中央部とを一体に覆うことを特徴としている。
【０００８】
また、前記前身頃と前記後身頃と前記サポート布とに亘って、大腿部を覆う一対の脚部布を縫着すると好ましい。
【考案の効果】
【０００９】
本考案のガードルによれば、ショーツの上に重ね履きすることにより、パワーネットで形成されたサポート布の張力と、ストレッチテープの緊迫力により、大腿と臀部とで囲まれる会陰体が上方に引き上げられ、これに伴って、弛んだ骨盤底筋を上方に引き上げられることから、膀胱や尿道を正規の位置に保持し、尿漏れの抑制を図ることができる。さらに、前身頃の身生地にファスナーを設けたことにより、ガードルの着脱が容易になる。
【００１０】
また、サポート布により、腹部や臀部が適度に締め付けられることから、体型の補正効果を図ることができる。
【００１１】
さらに、前身頃と前記後身頃と前記サポート布とに亘って、大腿部を覆う一対の脚部布を縫着したことにより、ガードルをショーツの上に重ね履きするだけではなく、一枚履きすることもでき、また、脚部の補正も同時に行うことができる。
【図面の簡単な説明】
【００１２】
【図１】本考案の第１形態例を示すガードルの正面図である。
【図２】同じくガードルの背面図である。
【図３】同じくサポート布の説明図である。
【図４】同じくチャックを開いた状態のガードルの正面図である。
【図５】本考案の第２形態例を示すガードルの正面図である。
【図６】同じくガードルの背面図である。
【図７】同じくサポート布の説明図である。
【図８】同じくチャックを開いた状態のガードルの正面図である。
【考案を実施するための形態】
【００１３】
以下、図面に基づいて、本考案の第１形態例を説明する。図１乃至図４は、本考案の第１形態例を示すもので、ガードル１１は、装着者の腹部及び股関節部を覆う前身頃１２と、腰の上部を覆う後身頃１３と、前身頃１２の中央と後身頃１３の中央とを繋ぐサポート布１４とで構成されている。
【００１４】
前身頃１２と後身頃１３の身生地１２ａ，１３ａは、スパンデックス等の伸縮性に優れた生地が使用され、一体的に連結して形成され、上部には伸縮性の強いベルト部１２ｂ，１３ｂが設けられている。また、前身頃１２の身生地１２ａの中央部には、ファスナー１５が取り付けられている。
【００１５】
サポート布１４の本体部１４ａは、伸縮性の強いパワーネットで形成され、装着者の腹部を覆う幅広の腹部引き締め部１４ｂと、装着者の股部を覆う幅狭のクロッチ引き締め部１４ｃと、該クロッチ引き締め部１４ｃと略同一の幅を有し、装着者の臀部の中央部を覆う臀部引き締め部１４ｄとを一体に備えている。さらに、本体部１４ａの両側部と中央部とには、長さ方向に伸縮性を有するストレッチテープ１６が取り付けられている。また、クロッチ引き締め部１４ｃには、防水布が内蔵されている。
【００１６】
本体部１４ａは、腹部引き締め部１４ｂの両側部が前身頃１２の身生地１２ａに縫着され、臀部引き締め部１４ｄの先端部が後身頃１３のベルト部１３ｂに縫着される。これにより、前身頃１２の身生地１２ａに取り付けたファスナー１５の開閉を許容しながら、身生地１２ａの裏面に、腹部引き締め部１４ｂが裏打ちされた状態となる。
【００１７】
本形態例は、上述のように形成されることにより、ガードル１１をショーツの上に重ね履きすることにより、パワーネットで形成されたサポート布１４の張力と、ストレッチテープ１６の緊迫力とにより、大腿と臀部とで囲まれる会陰体が上方に引き上げられ、これに伴って、弛んだ骨盤底筋が上方に引き上げられることから、膀胱や尿道を正規の位置に保持し、尿漏れの抑制を図ることができる。また、前身頃１２の身生地１２ａにファスナー１５を設けたことにより、ガードル１１の着脱が容易になる。さらに、ファスナー１５を閉じることにより、ベルト部１２ｂ，１３ｂが装着者の腰に密着するとともに、サポート布１４が、腹部と股部と臀部の中央部とに密着し、骨盤底筋を確実に上方に引き上げることができる。また、クロッチ引き締め部１４ｃに、防水布を内蔵させたことにより、万が一尿漏れがあったとしても、衣服に影響を及ぼす虞がない。
【００１８】
図５乃至図８は、本考案の第２形態例を示すもので、第１形態例と同様の構成要素を示すものには、同一の符号をそれぞれ付して、その詳細な説明は省略する。
【００１９】
本形態例のガードル２１は、前身頃１２と後身頃１３とサポート布１４とに亘って、大腿部を覆う一対の脚部布２２，２２を縫着している。脚部布２２は、スパンデックス等の伸縮性に優れた生地が使用された身生地２２ａの裏面に、帯状の伸縮性の強いパワーネットで形成された補正布２３が縫着され、装着者の股関節周りや、腰部及び臀部の引き締めが図られる。
【００２０】
本形態例は、上述のように形成されることにより、ガードル２１をショーツの上に重ね履きするだけではなく一枚履きすることもでき、また、脚部の補正も同時に行うことができる。
【符号の説明】
【００２１】
１１…ガードル、１２…前身頃、１２ａ…身生地、１２ｂ…ベルト部、１３…後身頃、１３ａ…身生地、１３ｂ…ベルト部、１４…サポート布、１４ａ…本体部、１４ｂ…腹部引き締め部、１４ｃ…クロッチ引き締め部、１４ｄ…臀部引き締め部、１５…ファスナー、１６…ストレッチテープ、２１…ガードル、２２…脚部布、２２ａ…身生地、２３…補正布
【図１】
0003226504.tif 000003
【図２】
0003226504.tif 000004
【図３】
0003226504.tif 000005
【図４】
0003226504.tif 000006
【図５】
0003226504.tif 000007
【図６】
0003226504.tif 000008
【図７】
0003226504.tif 000009
【図８】
0003226504.tif 000010